(57)【要約】【課題】  回転ディスプレイの自動ロック構造の提供。【解決手段】  ベースに中空フレームが枢設され、中空フレーム内に回転可能なディスプレイが枢設される。中空フレームが特定角度に回されるとき、中空フレームの下フレームの位置決め溝内の弾性手段がカムロッドを駆動して下向きに移動させ並びにディスプレイの位置決め孔より離脱させ、この時ディスプレイが中空フレーム内で回転可能となる。中空フレームが回転して特定角度以外に至る時、カムロッドのカム外形が底座に当接しカムロッドが上向きに移動し並びにディスプレイの位置決め孔に挿入され、この時、ディスプレイのロックが完成し再回転不能とされる。前述の簡単な構造設計とカム原理の応用により、構造の製造と組立の便利性が増し、並びに組立空間が節約され部品の間の磨耗と損壊が防止される。【選択図】        図１
2005322203.tif 000002
【特許請求の範囲】
【請求項１】
ベース、中空フレーム、及びディスプレイを具え、
該ベースは上表面を具え、
該中空フレームは左框、右框、上框、下框を具え、中空フレームの左框、右框、上框、下框の包囲により中空組付けエリアが形成され、且つ中空フレームはその下框がベース上表面の一側端に枢設され、並びに回転してベースの上表面に閉じ合わせ可能とされ、
該ディスプレイは、該中空フレームの中空組付けエリア内に枢設され並びに中空フレームに対して回転可能とされ、且つディスプレイは左側面、右側面、上側面、下側面を具えている回転ディスプレイの自動ロック構造において、
該ディスプレイが少なくとも二つの位置決め孔を具え、この少なくとも二つの位置決め孔がディスプレイの下側面の左右の二つの対称位置に凹設され、且つ該中空フレームの下框底面に下から上に少なくとも一つの位置決め溝が凹設され、各位置決め溝内に上向きに貫通する貫通孔が設けられ、且つ各位置決め溝内に弾性手段及びカムロッドが収容され、該弾性手段はカムロッドに嵌合され、且つカムロッドは挿入端とカム端を具え、カム端はカム外形を形成し並びに弾性手段の下向きの弾性付勢力を受けてベースの上表面に圧接し、且つ挿入端は上向きに貫通孔を貫通し並びにディスプレイの少なくとも二つの位置決め孔の一つに挿入されることを特徴とする、回転ディスプレイの自動ロック構造。
【請求項２】
請求項１記載の回転ディスプレイの自動ロック構造において、弾性手段がコイルスプリングとされたことを特徴とする、回転ディスプレイの自動ロック構造。
【請求項３】
請求項２記載の回転ディスプレイの自動ロック構造において、ベースの上表面の前記側端の二側に枢軸が設置され、且つ中空フレームの下框の二側に該ベースの該枢軸に対応し枢設される枢設孔が設けられたことを特徴とする、回転ディスプレイの自動ロック構造。
【請求項４】
ベース、中空フレーム、及びディスプレイを具え、
該ベースは上表面を具え、
該中空フレームは左框、右框、上框、下框を具え、中空フレームの左框、右框、上框、下框の包囲により中空組付けエリアが形成され、且つ中空フレームはその下框がベース上表面の一側端に枢設され、並びに回転してベースの上表面に閉じ合わせ可能とされ、
該ディスプレイは、該中空フレームの中空組付けエリア内に枢設され並びに中空フレームに対して回転可能とされ、且つディスプレイは左側面、右側面、上側面、下側面を具えている回転ディスプレイの自動ロック構造において、
該ディスプレイが少なくとも二つの位置決め孔を具え、この少なくとも二つの位置決め孔がディスプレイの上表面と下側面の上下の対応位置に凹設され、且つ該中空フレームの下框底面に下から上に少なくとも一つの位置決め溝が凹設され、各位置決め溝内に上向きに貫通する貫通孔が設けられ、且つ各位置決め溝内に弾性手段及びカムロッドが収容され、該弾性手段はカムロッドに嵌合され、且つカムロッドは挿入端とカム端を具え、カム端はカム外形を形成し並びに弾性手段の下向きの弾性付勢力を受けてベースの上表面に圧接し、且つ挿入端は上向きに貫通孔を貫通し並びにディスプレイの少なくとも二つの位置決め孔の一つに挿入されることを特徴とする、回転ディスプレイの自動ロック構造。
【請求項５】
請求項４記載の回転ディスプレイの自動ロック構造において、弾性手段がコイルスプリングとされたことを特徴とする、回転ディスプレイの自動ロック構造。
【請求項６】
請求項４記載の回転ディスプレイの自動ロック構造において、ベースの上表面の前記側端の二側に枢軸が設置され、且つ中空フレームの下框の二側に該ベースの該枢軸に対応し枢設される枢設孔が設けられたことを特徴とする、回転ディスプレイの自動ロック構造。
【発明の詳細な説明】
【技術分野】
【０００１】
本発明は一種の回転ディスプレイの自動ロック構造に係り、特に、両用型ポータブルコンピュータ装置に適用される回転ディスプレイの自動ロック構造に関する。
【背景技術】
【０００２】
一般の両用型ポータブルコンピュータは、ベース、ディスプレイ及び中空フレームを具え、そのうち、ディスプレイは中空フレーム内に枢設され並びに中空フレームに対して回転可能とされ、中空フレームはベース上に枢設され並びにベースに対して回転する。
【０００３】
上述のベースにはキーボードセットが組付けられ、ディスプレイが中空フレーム内で回転させられ並びに中空フレームの回転に伴いベース上を被覆する時、この両用型ポータブルコンピュータはタブレットＰＣとして使用される。ディスプレイが中空フレーム内で回転させられ並びに中空フレームに伴い回転させられて開放される時、この両用型ポータブルコンピュータはノートブック型コンピュータとして使用される。これにより両用型と称される。
【発明の開示】
【発明が解決しようとする課題】
【０００４】
上述の周知の両用型ポータブルコンピュータにおいて、ディスプレイは中空フレーム内で回転する時、ディスプレイを回転後に正確に中空フレーム内に位置決めできる適当な位置決め構造がなく、周知の方式によると、ヒンジ或いはその他の構造を位置決めに使用しているが、周知の方法は組付け空間が大きく、且つ磨耗の問題を発生しやすく、製造或いは組立上、非常に不便である。このほか、ヒンジの例では、長期に使用した後、ゆるみの現象を非常に発生しやすく、理想的とは言えない。
【課題を解決するための手段】
【０００５】
請求項１の発明は、ベース、中空フレーム、及びディスプレイを具え、
該ベースは上表面を具え、
該中空フレームは左框、右框、上框、下框を具え、中空フレームの左框、右框、上框、下框の包囲により中空組付けエリアが形成され、且つ中空フレームはその下框がベース上表面の一側端に枢設され、並びに回転してベースの上表面に閉じ合わせ可能とされ、
該ディスプレイは、該中空フレームの中空組付けエリア内に枢設され並びに中空フレームに対して回転可能とされ、且つディスプレイは左側面、右側面、上側面、下側面を具えている回転ディスプレイの自動ロック構造において、
該ディスプレイが少なくとも二つの位置決め孔を具え、この少なくとも二つの位置決め孔がディスプレイの下側面の左右の二つの対称位置に凹設され、且つ該中空フレームの下框底面に下から上に少なくとも一つの位置決め溝が凹設され、各位置決め溝内に上向きに貫通する貫通孔が設けられ、且つ各位置決め溝内に弾性手段及びカムロッドが収容され、該弾性手段はカムロッドに嵌合され、且つカムロッドは挿入端とカム端を具え、カム端はカム外形を形成し並びに弾性手段の下向きの弾性付勢力を受けてベースの上表面に圧接し、且つ挿入端は上向きに貫通孔を貫通し並びにディスプレイの少なくとも二つの位置決め孔の一つに挿入されることを特徴とする、回転ディスプレイの自動ロック構造としている。
請求項２の発明は、請求項１記載の回転ディスプレイの自動ロック構造において、弾性手段がコイルスプリングとされたことを特徴とする、回転ディスプレイの自動ロック構造としている。
請求項３の発明は、請求項２記載の回転ディスプレイの自動ロック構造において、ベースの上表面の前記側端の二側に枢軸が設置され、且つ中空フレームの下框の二側に該ベースの該枢軸に対応し枢設される枢設孔が設けられたことを特徴とする、回転ディスプレイの自動ロック構造としている。
請求項４の発明は、ベース、中空フレーム、及びディスプレイを具え、
該ベースは上表面を具え、
該中空フレームは左框、右框、上框、下框を具え、中空フレームの左框、右框、上框、下框の包囲により中空組付けエリアが形成され、且つ中空フレームはその下框がベース上表面の一側端に枢設され、並びに回転してベースの上表面に閉じ合わせ可能とされ、
該ディスプレイは、該中空フレームの中空組付けエリア内に枢設され並びに中空フレームに対して回転可能とされ、且つディスプレイは左側面、右側面、上側面、下側面を具えている回転ディスプレイの自動ロック構造において、
該ディスプレイが少なくとも二つの位置決め孔を具え、この少なくとも二つの位置決め孔がディスプレイの上表面と下側面の上下の対応位置に凹設され、且つ該中空フレームの下框底面に下から上に少なくとも一つの位置決め溝が凹設され、各位置決め溝内に上向きに貫通する貫通孔が設けられ、且つ各位置決め溝内に弾性手段及びカムロッドが収容され、該弾性手段はカムロッドに嵌合され、且つカムロッドは挿入端とカム端を具え、カム端はカム外形を形成し並びに弾性手段の下向きの弾性付勢力を受けてベースの上表面に圧接し、且つ挿入端は上向きに貫通孔を貫通し並びにディスプレイの少なくとも二つの位置決め孔の一つに挿入されることを特徴とする、回転ディスプレイの自動ロック構造としている。
請求項５の発明は、請求項４記載の回転ディスプレイの自動ロック構造において、弾性手段がコイルスプリングとされたことを特徴とする、回転ディスプレイの自動ロック構造としている。
請求項６の発明は、請求項４記載の回転ディスプレイの自動ロック構造において、ベースの上表面の前記側端の二側に枢軸が設置され、且つ中空フレームの下框の二側に該ベースの該枢軸に対応し枢設される枢設孔が設けられたことを特徴とする、回転ディスプレイの自動ロック構造としている。
【発明の効果】
【０００６】
本発明の回転ディスプレイの自動ロック構造は、ベースに中空フレームが枢設され、中空フレーム内に回転可能なディスプレイが枢設される。中空フレームが特定角度に回されるとき、中空フレームの下フレームの位置決め溝内の弾性手段がカムロッドを駆動して下向きに移動させ並びにディスプレイの位置決め孔より離脱させ、この時ディスプレイが中空フレーム内で回転可能となる。中空フレームが回転して特定角度以外に至る時、カムロッドのカム外形が底座に当接しカムロッドが上向きに移動し並びにディスプレイの位置決め孔に挿入され、この時、ディスプレイのロックが完成し再回転不能とされる。前述の簡単な構造設計とカム原理の応用により、構造の製造と組立の便利性が増し、並びに組立空間が節約され部品の間の磨耗と損壊が防止される。
【発明を実施するための最良の形態】
【０００７】
本発明の回転ディスプレイの自動ロック構造は、ベース、中空フレーム、及びディスプレイを具えている。そのうち、ベースは上表面を具え、且つ中空フレームは左框、右框、上框、下框を具え、中空フレームの左框、右框、上框、下框の包囲により中空組付けエリアが形成され、且つ中空フレームはその下框がベース上表面の一側端に枢設され、並びに回転してベースの上表面に閉じ合わされる。
【０００８】
このほか、ディスプレイは中空フレームの中空組付けエリア内に枢設され並びに中空フレームに対して回転可能とされ、且つディスプレイは左側面、右側面、上側面、下側面を具えている。
【０００９】
本発明の特色は、上述のディスプレイが少なくとも二つの位置決め孔を具え、この少なくとも二つの位置決め孔がディスプレイの下側面の左右の二つの対称位置に凹設されていることにある。このほか、中空フレームの下框底面に下から上に少なくとも一つの位置決め溝が凹設され、各位置決め溝内に上向きに貫通する貫通孔が設けられ、且つ各位置決め溝内に弾性手段及びカムロッドが収容され、そのうち、弾性手段はカムロッドに嵌合され、且つカムロッドは挿入端とカム端を具え、カム端はカム外形を形成し並びに弾性手段の下向きの弾性付勢力を受けてベースの上表面に圧接し、且つ挿入端は上向きに貫通孔を貫通し並びにディスプレイの少なくとも二つの位置決め孔の対応するものに挿入される。
【００１０】
以上から分かるように、カムロッドのカム端のカム外形により、中空フレームが回転して特定角度となる時、位置決め溝内の弾性手段の提供する弾性付勢力によりカムロッドが駆動されて下向きに移動し、並びにカムロッドの挿入端がディスプレイの少なくとも二つの位置決め孔の一つより離脱し、この時、ディスプレイは中空フレームに対して回転可能となる。反対に、ディスプレイが回転後に、中空フレームが上述の特定角度以外のその他の角度に回転させられると、カムロッドのカム端のカム外形がベースの上表面に圧接し、カムロッドが駆動されて上向きに移動し並びにその挿入端が対応する貫通孔を上向きに貫通しディスプレイの少なくとも二つの位置決め孔の一つに挿入され、この時、ディスプレイは再回転不能となり位置決めロック状態を形成する。
【００１１】
これにより、カムロッドと位置決め溝等の部分の簡単な構造設計と、カム原理の応用により、有効に全体構造の製造と組立上の便利性が増され、並びに組立空間が節約され、例えば中空フレームの下框に位置決め溝を凹設でき、また、これにより部品の間に発生する磨耗及び損壊を防止することができる。
【００１２】
このほか、本発明のディスプレイの少なくとも二つの位置決め孔はそれぞれそのディスプレイの上側面と下側面の上下対応位置部分に凹設可能であり、即ちディスプレイは中空フレーム内で上下方式で回転するものとされても、或いは左右方式で回転するものとされても、上述の効果を達成できる。
【実施例１】
【００１３】
図１は本発明の第１実施例の立体図、図２は本発明の第１実施例のカムロッドがディスプレイを離脱した状態の断面図、図３は図２の部分拡大図である。図示されるように、本発明の回転ディスプレイの自動ロック構造はベース１、中空フレーム２、及びディスプレイ３を具えている。
【００１４】
上述のベース１は上表面１１を具え、且つこの上表面１１にキーボードセット１３が組付けられ、並びに上表面１１の一側端１１０の二側に枢軸１２が設置されている。中空フレーム２は左框２１、右框２２、上框２３、及び下框２４を具え、中空フレーム２の左框２１、右框２２、上框２３、及び下框２４の包囲により中空組付けエリア２５が形成されている。且つ中空フレーム２の下框２４の二側に枢設孔２８が設置され、この二つの枢設孔２８はベース１の二つの枢軸１２に対応し枢設され、こうして中空フレーム２がベース１の上框２３の側端１１０に枢設され、並びに回転してベース１の上表面１１に閉じ合わせ可能とされる。
【００１５】
このほか、図中のディスプレイ３は上側面３３、下側面３４の中間位置が中空フレーム２の上框２３と下框２４の中間位置に対応して枢設され、中空フレーム２の中空組付けエリア２５内に枢設され並びに中空フレーム２に対して左右に回転可能とされ、且つこのディスプレイ３は左側面３１、右側面３２、上側面３３、下側面３４を具えている。
【００１６】
このほか、ディスプレイ３の下側面３４の左右の二つの対称位置にそれぞれ位置決め孔３５が凹設され、中空フレーム２の下框２４の底面に下から上に位置決め溝２４１が凹設され、位置決め溝２４１内に上向きに貫通する貫通孔２４２が設けられ、この貫通孔２４２は中空フレーム２の位置決め溝２４１と中空組付けエリア２５を連通させ、且つ位置決め溝２４１内に弾性手段２６、及びカムロッド２７が収容されている。本実施例では、弾性手段２６にはコイルスプリングが使用され、且つそれはカムロッド２７に嵌合され、カムロッド２７は挿入端２７１とカム端２７２を具えている。そのうち、カム端２７２はカム外形２７３（ｃａｍ  ｐｒｏｆｉｌｅ）を具え、それは並びに弾性手段２６の下向きの弾性付勢力を受けてベース１の上表面１１に圧接する。
【００１７】
図１、２、３及び図４の本発明の第１実施例のディスプレイの回転表示図を参照されたい。上述の構造により、中空フレーム２が特定角度まで回転した時、カムロッド２７のカム端２７２のカム外形２７３は中空フレーム２の回転に伴い運動し、即ちカム外形２７３の形状設計により、弾性手段２６がカムロッド２７のカム端２７２を下向きにベース１の上表面１１に圧接させる弾性付勢力を提供し、カムロッド２７を駆動して下向きに移動させ、並びにカムロッド２７の挿入端２７１が下向きにディスプレイ３の下側面３４のそのうち一つの位置決め孔３５より離脱し、この時、ディスプレイ３は中空フレーム２に対して左右に回転可能となる。
【００１８】
図４、及び図５の本発明の第１実施例のカムロッドがディスプレイへに挿入位置決めされた状態の断面図を参照されたい。図６は図５の部分拡大図である。ディスプレイ３が回転させられた後、更に中空フレーム２が回されて上述の特定角度以外のその他の角度とされる時、カムロッド２７のカム端２７２のカム外形２７３が中空フレーム２の回転に伴い運動し、且つカム外形２７３の形状設計により、カム外形２７３がベース１の上表面１１に対して形成する押圧力により、カムロッド２７が上向きに移動し並びにカムロッド２７の挿入端２７１が上向きに貫通孔２４２を貫通してディスプレイ３の下側面３４のそのうち一つの位置決め孔３５内に対応し挿入され、こうして、ディスプレイ３がロック状態を形成し再回転不能とされる。
【００１９】
これにより、カムロッド２７と位置決め溝２４１等の部分の簡単な構造設計により、並びにカムロッド２７のカム端２７２のカム外形２７３の形成するカム原理の応用により、全体構造の製造及び組立上の便利性が高められ、且つカムロッド２７、位置決め溝２４１、弾性手段２６等の部品に小型化設計を採用可能で、例えば中空フレーム２の下框２４に位置決め溝２４１を凹設可能とされ、こうして有効に組立空間を節約でき、且つ上述の構造は部品の間に磨耗及び損壊が発生するのを防止できる。
【実施例２】
【００２０】
図７は本発明の第２実施例のディスプレイの回転表示図である。そのうち、主要な構造は第１実施例と同じであるが、第１実施例のディスプレイ３は左右回転方式で設計されたのに対し（図４）、本実施例のディスプレイ６は上下回転方式で設計されている。
【００２１】
図７に示されるように、ディスプレイ６はその左側面６１と右側面６２の中間位置が中空フレーム５の左框５１、右框５２の中間位置に対応し枢設され、これにより中空フレーム５の中空組付けエリア５５内に枢設され並びに中空フレーム５に対して上下に回転可能とされる。このほか、ディスプレイ６の二つの位置決め孔６５はそれぞれディスプレイ６の上側面６３、下側面６４の上下の対応位置に凹設されている。これにより、ディスプレイ６が中空フレーム５内で上下に回転する時、同様にカムの原理によりディスプレイ６のロック或いはアンロックの状態が達成され、即ち本実施例の上下回転方式を採用したディスプレイ６もまた上述の第１実施例の各種作用効果を達成する。
【００２２】
以上の実施例は本発明の説明のために提示されたものであり、本発明に基づきなしうる細部の修飾或いは改変は、いずれも本発明の請求範囲に属するものとする。
【図面の簡単な説明】
【００２３】
【図１】本発明の第１実施例の立体図である。
【図２】本発明の第１実施例のカムロッドがディスプレイを離脱した状態の断面図である。
【図３】図２の部分拡大図である。
【図４】本発明の第１実施例のディスプレイの回転表示図である。
【図５】本発明の第１実施例のカムロッドがディスプレイへに挿入位置決めされた状態の断面図である。
【図６】図５の部分拡大図である。
【図７】本発明の第２実施例のディスプレイの回転表示図である。
【符号の説明】
【００２４】
１  ベース                １１  上側面                  １１０  側端
１２  枢軸                １３  キーボードセット        ２  中空フレーム
２１  左框                ２２  右框                    ２３  上框
２４  下框                ２４１  位置決め溝            ２４２  貫通孔
２５  中空組付けエリア    ２６  弾性手段                ２７  カムロッド
２７１  挿入端            ２７２  カム端                ２７３  カム外形
２８  枢設孔              ３  ディスプレイ              ３１  左側面
３２  右側面              ３３  上側面                  ３４  下側面
３５  位置決め孔          ５  中空フレーム              ５１  左框
５２  右框                ５５  中空組付けエリア        ６  ディスプレイ
６１  左側面              ６２  右側面                  ６３  上側面
６４  下側面              ６５  位置決め孔
【図１】
2005322203.tif 000003
【図２】
2005322203.tif 000004
【図３】
2005322203.tif 000005
【図４】
2005322203.tif 000006
【図５】
2005322203.tif 000007
【図６】
2005322203.tif 000008
【図７】
2005322203.tif 000009